(57)【特許請求の範囲】
【請求項１】
内部を流通する空気のための入口流通路及び出口流通路に接続されている真空源（１２）を備える真空掃除機であって、埃取り具（２０）を収納するための開口部（２６，４９）を有する部屋（２１，４７）を形成するホルダ（１９，３５）をさらに備え、
前記部屋（２１，４７）が、弁（２８，３０，３６）を介して、前記入口流通路及び前記出口流通路の少なくとも一方に接続可能であり、前記弁が開いているときに前記埃取り具（２０）が前記部屋（２１，４７）を通って流れる空気によって清浄化されるようになっている、
ことを特徴とする真空掃除機。
【請求項２】
前記部屋（２１，４７）は筒形状であり、該筒形状の一端が前記埃取り具のための入口を形成し、前記弁（２８，３０，３６）が前記筒形状の他端又はその近傍に配置されている、請求項１に記載の真空掃除機。
【請求項３】
前記埃取り具（２０）が、前記部屋（２１，４７）のためのカバーとして機能するカラー（５０）を備えている、請求項２に記載の真空掃除機。
【請求項４】
前記部屋（２１，４７）が、前記入口（５１）を形成する中央開口部を有したカバー（２５）を備える、請求項２に記載の真空掃除機。
【請求項５】
前記埃取り具によって前記弁（２８）を作動させることができるようになっている、請求項１から請求項４の何れか一項に記載の真空掃除機。
【請求項６】
前記ホルダ（３５）が、弁体（３６）と、管部分（３３）とを備え、前記管部分が前記ホルダ（３５）内に摺動可能に配置され、前記入口流通路の一部を形成し、前記弁体（３６）が、前記管部分（３３）に対する前記ホルダ（３５）の摺動によって、前記部屋（４７）と前記入口流通路との間の接続が閉鎖される第１の位置から、前記接続が開放される第２の位置へ移動させられるようになっている、請求項１から請求項４の何れか一項に記載の真空掃除機。
【請求項７】
前記埃取り具（２０）が入れ子式に伸長可能なシャフトを備える、請求項１から請求項６の何れか一項に記載の真空掃除機。
【請求項８】
入口流通路と出口流通路とに接続されている真空源を備える真空掃除機のための装置であって、前記真空掃除機に着脱可能に接続されるように構成されたホルダ（３５）を備え、該ホルダ（３５）が、埃取り具（２０）を収容するための開口部（２６，４９）を有する部屋（４７）を備え、前記真空掃除機と共に移動させられるようになっており、前記真空掃除機が配置されている場所にかかわらず前記埃取り具（２０）が利用可能になっており、
前記真空掃除機の前記入口流通路に接続されるように構成された管（３３）と、該管（３３）と前記部屋（４７）との間の接続を選択的に開くための弁とをさらに備える、
ことを特徴とする真空掃除機のための装置。
【発明の詳細な説明】
【０００１】
本発明は、空気が流通するための入口流通路及び出口流通路と連通している真空源を有した真空掃除機のための装置に関する。
【０００２】
真空掃除機は、従来型の床用ノズルによって床から埃及び汚れを除去するために使用されるものである。家具、棚その他のタイプの物品から埃及び汚れを吸い込むために真空掃除機を使用することを容易にするための様々な付属品が公知となっている。これらの付属品は、通常、ブラシノズルを含んでおり、このブラシノズルは真空掃除機の管の柄に収納される。管の柄は、可撓性のホースを介して、真空掃除機ハウジングに接続されている。しかしながら、ブラシノズルは、結合されているホース及び管の柄と共に、傷つきやすい物品や密集して纏められた物品が載っている棚その他の表面を掃除するために使用するにはあまりに扱いにくく繊細さに欠けると考えられることが多い。
【０００３】
このような表面を掃除するためには、それらの代わりに、塵除けほうき又は毛ぼうきが使用されている。毛ぼうきは、多数の軽くて柔らかい繊維及び／又は糸形状要素を備えており、これら繊維や糸形状要素が物体に接触したときに曲げられて、掃除される物品の間と幾分かはその周囲にまで届くようになっているという利点を有している。毛ぼうき及びいわゆる超極細繊維ほうきは、使用されるときに静電気を帯びるように設計されている。これは、埃粒子が、表面から除去されたときに毛ぼうきに付着することを意味している。しかしながら、これら毛ぼうき並びに全てのタイプの塵除けほうきに関する欠点は、定期的に、操作者が、付着した埃を遊離させるように毛ぼうき又は塵除けほうきを震わすことができる場所まで行かなくてはならないことである。
【０００４】
本発明の目的は、真空掃除機と共に毛ぼうき又は塵除けほうきを使用し、包括的且つ合理的な１回の作業で真空吸引掃除及び塵除け掃除を纏めて行うためのシステムを実現することにある。本発明によれば、真空吸引掃除を行っている際に毛ぼうき又は塵除けほうきを常に利用可能であると共に、真空掃除機と共同して毛ぼうき又は塵除けほうきの衛生的な掃除を保証する。
【０００５】
本発明のこれらの特徴及び他の特徴は以下の説明及び図面を参照することにより明らかとなる。
【０００６】
図１に示されている真空掃除機１０は、真空源１２、好ましくはモータファンユニットを備えた真空掃除機ハウジング１１を有しており、真空源１２は分離容器１３と連通している。分離容器１３は、空気透過性の袋１４と、サイクロン分離器又は同種のものとを取り囲んでおり、サイクロン分離器内で、埃を含んだ空気の流れから埃及び汚れの粒子を分離する。埃を含んだ空気の流れは、ノズル１５から、管シャフト１６、管の柄１７及びホース１８を経て、分離容器１３に流入する。したがって、最後に述べた各部分１５、１６、１７、１８及び１３は埃を含んだ空気のための入口流通路を形成している。流れの方向に見てモータファンユニットの後に位置する空気通路１１ａは、清浄化された空気が大気に入るための出口流通路を形成している。
【０００７】
管シャフト１６は、管の柄１７の近傍に、毛ぼうき２０のためのホルダ１９を支持している。ホルダ１９は好ましくは筒状の部屋２１を形成している。筒状の部屋２１は、その上側壁部分に、接線方向に向いた複数の空気入口２２を有し、下側壁部分に付加的な空気入口２３を有している。さらに、ホルダ１９は、閉鎖された底部分２４と、天井部分２５とを有している。天井部分２５は中央開口部２６を有しており、この中央開口部２６を通して毛ぼうき２０をホルダ１９内に挿入することができる。
【０００８】
管シャフト１６とホルダ１９との間には出口２７があり、空気は出口２７を通って部屋２１から管シャフト１６へ流入することができる。通常の真空吸引掃除作業の際には、出口２７は、ヒンジ２９により回転可能に支持されているカバー２８によって閉じられている。カバー２８はフラップ３０と接続されている。フラップ３０は、通常の真空吸引掃除作業の際に、空気が管シャフト１６を通って流れることを妨げることはない。カバー２８はバネ３１の影響を受けており、バネ３１はカバー２８を閉鎖位置に付勢している。カバー２８は、さらに、毛ぼうき２０の作用を受ける延長フランジ３２を備えている。
【０００９】
本装置は以下のようにして動作する。通常の真空吸引掃除作業の際には、毛ぼうきはホルダ内に一部を挿入された位置で収容されている。一部を挿入された位置では、毛ぼうき２０はフランジ３２と係合しない。このことは、埃を含んだ空気が管シャフト１６を通ってノズル１５から真空源１２に自由に流れることを意味する。操作者が毛ぼうき２０を使用する場所に来ると、毛ぼうき２０がホルダ１９から引き抜かれる。塵除け掃除作業の後、毛ぼうきを再度ホルダ１９内に挿入する。操作者は毛ぼうきをホルダ内に部分的に挿入することを選択することができる。このことは、毛ぼうきが掃除（清浄化）されず、前と同じように真空吸引掃除が行われ得ることを意味する。あるいはまた、操作者は毛ぼうきをホルダ内に完全に挿入することを選択することもできる。
【００１０】
毛ぼうき２０がホルダ１９内に完全に挿入されると、毛ぼうき２０はその移動の際にフランジ３２に作用し、カバー２８、よってフラップ３０が、出口２７を開放するために、図２に示されている位置にヒンジ２９を中心として時計回りに回転させられる。真空掃除機がこのときに作動させられると、空気は空気入口２２及び２３から部屋２１及び出口２７を通り管シャフト１６の上側部分へ吸い込まれ、さらに管の柄及びホースを通り袋１４へ吸い込まれる。こうして、部屋を通って流れる空気は、毛ぼうきから埃を吸い取り、同時に毛ぼうきの柔らかく細い糸を震わせる。したがって、毛ぼうきによって収集された埃は空気の流れに伴って持ち去られた後、袋１４内で分離される。同時に、糸は、震わされて周囲の壁にすりつけられることから、静電気を帯びる。次に、毛ぼうきがホルダ１９から一部を取り出され、それによって、カバー２８を閉鎖し、空気が部屋を通って流れることを停止させる。毛ぼうきは再度使用される準備が整ったことになる。
【００１１】
図３〜図５に示されている第２の実施形態は、管の柄（不図示）に接続されている上側部分３３ａと、管シャフト（不図示）に接続されている下側部分３３ｂとを有した管部分３３を含んでいる。管部分３３は、毛ぼうき２０のためのホルダ３５上に滑動可能に配置されており、管部分３３内の座３７に回転可能に配置されている玉形弁体３６を備えている。弁体３６はパイプ形状の孔３８を有しており、通常、その上側開口部３８ａ、下側開口部３８ｂは、それぞれ、管部分３３の上側部分３３ａ、下側部分３３ｂの方を向いている。孔３８は、管部分３３と同じ直径を主として有していると共に、通常、座３７の方を向いている他の開口部３８ｃを有している。管部分３３は開口部３３ｃを備え、この開口部３３ｃは、通常、弁体３６によって覆われている。弁体はさらに管部分３３の各側に回転手段３９を備えている。
【００１２】
各回転手段３９は、ラック歯車（旋回伝導装置）４１と係合している複数の歯４０を有した扇形部材として設計されている。ラック歯車は、ホルダ３５に取り付けられており、管部分３３の長手方向軸線と平行になっている。ホルダ３５は、さらに、座３７を取り囲んでいる部屋４２を備えている。部屋４２は、弁体３６と共に管部分３３をホルダ３５に対して長手方向（図３における上下方向）に移動させることを可能とさせるような長さになっている。部屋４２は、ホルダ３５内の空気流通路４４に面する開口部４３を備えている。空気流通路４４は、ホルダ３５の底部分４５まで延びている。空気流通路４４は、開口部４６を介して、毛ぼうき２０が挿入される部屋４７と接続されている。好ましくは、部屋４７は透明な管４８によって取り囲まれている。毛ぼうき２０は開口部４９を介して部屋４７に挿入され、この開口部４９は、通常、毛ぼうき２０上に被せられ開口部４９のためのカバーとして機能するカラー５０によって閉鎖されている。部屋４７の上側部分には空気のための入口５１がある。入口５１は、空気が部屋４７内に接線方向に流入するように配置されていることが好ましい。
【００１３】
図３〜図５による装置は以下のようにして動作する。通常の真空吸引掃除作業の際、毛ぼうきは、部屋４７に収納されており、物品から埃を除去するために容易に取り出すことができる。毛ぼうきを部屋４７に再度挿入した後、操作者は、管部分３３に取り付けられている管シャフト及び管の柄に対して図３の長手方向上方へホルダ全体３５を引っ張ることによって、毛ぼうきから埃を除去することを選択することができる。このことは、回転手段３９の歯４０が、ラック歯車４１と係合していることによって、弁体３６を時計回りに９０°回転させ、孔３８の開口部３８ａが管部分３３の開口部３３ｃと整列すると同時に開口部４３が開口部３３ｃ及び３８ａと整列する位置に移動するようになることを意味する。同時に、上側管部分と下側管部分との間の連通は、弁体３６によって妨げられる。このことは、前に真空掃除機ノズル１５から管シャフト１６、管部分３３ｂ及び３３ａを通ってさらに管の柄１７に吸い込まれていた空気が、このとき代わって、開口部５１、部屋４７、流通路４４、開口部４３、３３ｃ、３８ａ及び上側部分３３ａを通って吸引されることを意味する。したがって、管４８内に接線方向に流入する空気は部屋内で循環して旋風作用（サイクロン作用）を引き起し、それによって毛ぼうき全体を震わせ、毛ぼうき２０から粒子を除去し、粒子を真空掃除機ハウジングへ送ると同時に、毛ぼうきの糸及び／又は繊維が振動し、静電気を帯びる。さらに、毛ぼうきからの埃の除去は、ホルダ３５を下方へ押すことによって、容易に中断させられ得る。このことは、弁体３６が反時計回りに回転させられて、図３に示されている初期位置に戻ることを意味している。
【００１４】
毛ぼうきの糸は、周囲の壁の材料と異なる材料から作製されるべきであり、毛ぼうきの高い静電気帯電性を実現するために、異なる材料がいわゆる摩擦電気列において互いから大きく離れるように、材料の選択がなされる。
【００１５】
前述の説明は毛ぼうきを掃除（清浄化）するための方法に関するものであるが、同じ方法が塵除けほうきを掃除するために使用され得る。さらに、ホルダ１９、よって部屋２１及び開口部２６を塵除けほうきの形状に適合させると共に、真空吸引掃除作業及び帯電作業の際に塵除けほうきを真空掃除機に固定するためのある種の手段をホルダ又は塵除けほうきに設けることが適切であることはもちろんである。
【００１６】
上述した実施形態がいわゆる密閉真空掃除機に関するものであるとはいえ、上記実施形態はいわゆる直立真空掃除機においても同様に使用され得ることにも言及しておかなくてはならない。
【００１７】
ホルダは操作者の手の近くに設置されることが好ましいが、真空掃除機上の適宜の場所に配置されることも可能であることはもちろんである。さらに、掃除作業の際に塵除けほうき又は毛ぼうきを震わせるために作動させられ得るある種の電気又は空気駆動される手段を真空掃除機に設けることも可能である。
【００１８】
毛ぼうきが使用される場合には、毛ぼうきは入れ子式シャフトを備えることが好ましく、この入れ子式シャフトによって、シャフトの長さが実際の使用に適するように調整され得る。
【００１９】
いわゆるサイクロン真空掃除機、すなわち掃除及び／又は帯電段階の際に旋風作用によって筒状の部屋において空気の流れから埃を分離させる真空掃除機のための毛ぼうき又は塵除けほうき用ホルダとして筒状の部屋を使用することも可能である。
【００２０】
代替実施形態として、埃収集具がホルダ内に挿入され、空気の流れ以外の手段によって掃除（清浄化）され、それによって部屋において埃が埃収集具から除去され収集されるようにすることができる。その後、弁が開放されると、部屋は、毛ぼうき又は塵除けほうきと別に又はそれと共に、掃除される。
【図面の簡単な説明】
【図１】  本発明の第１の実施形態の略側面図であり、本発明による装置を備えた真空掃除機を示している。
【図２】  本発明の装置の垂直方向断面図である。
【図３】  本発明の第２の実施形態の長手方向断面図である。
【図４】  図３に示されている装置の一部の部分切欠き図である。
【図５】  図２及び図３による実施形態の断面を示している略斜視図である。
【図１】
0004907819.tif 000002
【図２】
0004907819.tif 000003
【図４】
0004907819.tif 000004
【図５】
0004907819.tif 000005
【図３】
0004907819.tif 000006